【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
コンピュータ環境での保健医療データの悪用又は乱用を検知する方法であって、
保健医療データと関連する少なくとも一つのトランザクション又はアクティビティを監視するための規則を生成して、その規則が、許可されたユーザによる保健医療データの悪用及び乱用を示す少なくとも一つのトランザクション又はアクティビティに関する少なくとも一つの判断基準を含むようにする工程と、
当該の少なくとも一つの判断基準を満たした時にイベントが発生し、そのイベントが起こったか否かを決定するために、当該の少なくとも一つのトランザクション又はアクティビティに規則を適用する工程と、
イベントが起こった場合に一つのヒットをメモリに保存する工程と、
イベントが起こった場合に通報を発出する工程と、
規則に関するヒットの集合体を生成する工程と、
を有する方法。
【請求項２】
時間パラメータ、数量パラメータ及びユーザパラメータの中の少なくとも一つにもとづき、当該の規則に関する少なくとも一つの判断基準の少なくとも一部を選定する工程を更に有する請求項１に記載の方法。
【請求項３】
当該の少なくとも一つのトランザクション又はアクティビティに規則をリアルタイムで適用するか否かを決定する工程と、
規則をリアルタイムで適用しない場合、当該の少なくとも一つのトランザクション又はアクティビティに規則を適用するスケジュールを立てる工程と、
を更に有する請求項１又は２に記載の方法。
【請求項４】
当該の通報の受信者を指定する工程と、
当該の通報で送信するメッセージを生成する工程と、
を更に有する請求項１から３までのいずれか一つに記載の方法。
【請求項５】
当該の少なくとも一つのトランザクション又はアクティビティに規則を適用するスケジュールを立てる工程を更に有する請求項１から４までのいずれか一つに記載の方法。
【請求項６】
複数のデータベースのデータと関連する少なくとも一つのトランザクション又はアクティビティに規則を適用する工程を更に有する請求項１から５までのいずれか一つに記載の方法。
【請求項７】
時間パラメータ又は数量パラメータにもとづき、当該の規則の少なくとも一部に関する少なくとも一つの判断基準を選定する工程を更に有する請求項１から６までのいずれか一つに記載の方法。
【請求項８】
少なくとも一つの判断基準を選定するための規則管理ページを提示する工程と、
選定した少なくとも一つの判断基準にもとづき規則の少なくとも一部を生成する工程と、
を更に有する請求項１から７までのいずれか一つに記載の方法。
【請求項９】
当該の少なくとも一つのトランザクション又はアクティビティに規則を適用するスケジュールを選定するための規則スケジュールページを提示する工程と、
当該のイベントが起こったか否かを決定するために、当該のスケジュールにもとづき当該の少なくとも一つのトランザクション又はアクティビティに規則を適用する工程と、
を更に有する請求項１から８までのいずれか一つに記載の方法。
【請求項１０】
当該の規則をリアルタイムで適用するスケジュールを立てる工程を更に有する請求項１から９までのいずれか一つに記載の方法。
【請求項１１】
当該の通報の受信者の電子メールアドレスを指定する工程を更に有する請求項１から１０までのいずれか一つに記載の方法。
【請求項１２】
保健医療システムのコンピュータ環境での患者医療データの悪用又は乱用を検知するシステムであって、このシステムが、
患者医療データと関連する少なくとも一つのトランザクション又はアクティビティに関する、保健医療システムの許可されたユーザによる患者医療データの悪用及び乱用を示す少なくとも一つの判断基準を選定するとともに、当該の少なくとも一つのトランザクション又はアクティビティを監視するための規則を適用するスケジュールを選定するためのユーザインタフェースと、
そのユーザインタフェースと通信して、データと関連するトランザクション又はアクティビティにアクセスするマイクロプロセッサと、
を備えており、
このマイクロプロセッサが、選定された少なくとも一つの判断基準にもとづき規則の少なくとも一部を生成するとともに、当該の少なくとも一つの判断基準が満たされた時にイベントが発生し、そのイベントが起こったか否かを決定するために、選定したスケジュールにもとづき当該の少なくとも一つのトランザクション又はアクティビティに規則を適用し、
イベントが起こった場合に、このマイクロプロセッサが一つのヒットを保存し、
イベントが起こった場合に、このマイクロプロセッサが通報を発出し、
このマイクロプロセッサが規則に関するヒットの集合体を生成する、
システム。
【請求項１３】
マイクロプロセッサが、時間パラメータ、数量パラメータ及びユーザパラメータの中の少なくとも一つにもとづき規則の少なくとも一部を生成する請求項１２に記載のシステム。
【請求項１４】
マイクロプロセッサが、通報で送信するメッセージを生成する請求項１２又は１３に記載のシステム。
【請求項１５】
マイクロプロセッサが、当該の少なくとも一つのトランザクション又はアクティビティに規則をリアルタイムで適用するか否かを決定する請求項１２から１４までのいずれか一つに記載のシステム。
【請求項１６】
マイクロプロセッサが、複数のデータベースのデータと関連する少なくとも一つのトランザクション又はアクティビティに規則を適用する請求項１２から１５までのいずれか一つに記載のシステム。
【請求項１７】
保健医療システムのコンピュータ環境での一人又は複数の患者の医療データの悪用又は乱用を検知する方法を実行するためのコンピュータで実行可能な命令を組み込まれたコンピュータで読み取り可能な不揮発性の媒体であって、その方法が、
医療データと関連する少なくとも一つのトランザクション又はアクティビティに関する判断基準の選定を行い、その判断基準が、医療データへのアクセスを許可された、保健医療システムのコンピュータ環境の許可されたユーザによる医療データの悪用及び乱用を示すものである工程と、
当該の判断基準にもとづき、当該の少なくとも一つのトランザクション又はアクティビティを監視するための規則の少なくとも一部を生成する工程と、
当該の少なくとも一つのトランザクション又はアクティビティに当該の規則を適用するスケジュールの選定を行う工程と、
当該の判断基準が満たされた時にイベントが発生し、そのイベントが起こったか否かを決定するために、選定したスケジュールにもとづき当該の少なくとも一つのトランザクション又はアクティビティに当該の規則を適用する工程と、
当該のイベントが起こった場合に一つのヒットを保存する工程と、
当該のイベントが起こった場合に通報を発出する工程と、
当該の規則に関するヒットの集合体を生成する工程と、
を有するコンピュータで読み取り可能な不揮発性の媒体。
【請求項１８】
当該の規則を生成する工程が、時間パラメータ、数量パラメータ及びユーザパラメータの中の少なくとも一つにもとづき、当該の規則の少なくとも一部を生成することを更に有する請求項１７に記載のコンピュータで読み取り可能な不揮発性の媒体。
【請求項１９】
当該の判断基準の選定を行う工程が、患者の保護されている健康情報（ＰＨＩ）の侵害を示す判断基準を設定することを更に有する請求項１７又は１８に記載のコンピュータで読み取り可能な不揮発性の媒体。
【請求項２０】
当該の設定する判断基準が、医療データへのアクセスを許された、保健医療システムのコンピュータ環境の許可されたユーザにより出された悪意の要求を示す判断基準である請求項１７から１９までのいずれか一つに記載のコンピュータで読み取り可能な不揮発性の媒体。